【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
動力源と、
前記動力源から出力された回転動力が伝達されることにより回転するとともに、外周面に回転軸からの距離が変化したカム面を有するカムと、
所定の部材にスライド可能に支持されるとともに、前記カムの回転に伴ってストロークし、かつ、前記ストロークによってクラッチの断接を行う出力ロッドと、
を備え、
前記出力ロッドの中心軸の延長線上に前記カムの前記回転軸が配されており、
前記出力ロッドは、前記中心軸の方向に関して異なる位置に配されるブッシュを介して前記中心軸の方向にストローク可能にハウジングに支持されるクラッチアクチュエータ。
【請求項２】
前記出力ロッドに回転可能に保持されるとともに前記カム面上で転動可能な回転体を備え、
前記カム面と前記回転体の当接部分は、前記出力ロッドの前記中心軸の延長線上であって前記カムの前記回転軸よりも前記出力ロッド側に配されている請求項１記載のクラッチアクチュエータ。
【請求項３】
前記出力ロッドに固定された保持部材と、
前記保持部材に回転可能に保持されるとともに前記カム面上で転動可能な回転体と、
を備え、
前記カム面と前記回転体の当接部分は、前記出力ロッドの前記中心軸の延長線上であって前記カムの前記回転軸よりも前記出力ロッド側の反対側に配されている請求項１記載のクラッチアクチュエータ。
【請求項４】
前記動力源から出力された回転動力を減速して前記カムに伝達する一又は複数段の減速機構を備える請求項１乃至３のいずれか一に記載のクラッチアクチュエータ。
【請求項５】
前記減速機構は、
前記動力源により回転駆動されるウォームと、
前記ウォームと噛み合うとともに前記カムと一体に回転するウォームホイールと、
を備える請求項４記載のクラッチアクチュエータ。
【請求項６】
前記減速機構は、
前記動力源により回転駆動されるウォームと、
前記ウォームと噛み合うウォームホイールと、
前記ウォームホイールと一体に回転するとともに前記ウォームホイールよりも径が小さいドライブギヤと、
前記ドライブギヤと噛み合うとともに、前記ドライブギヤよりも径が大きく、かつ、前記カムと一体に回転するドリブンギヤと、
を備える請求項４記載のクラッチアクチュエータ。
【請求項７】
前記カムの前記回転軸は、前記動力源の出力軸である請求項１乃至３のいずれか一に記載のクラッチアクチュエータ。
【請求項８】
前記カムの前記回転軸を回転可能に保持するハウジングを備える請求項１乃至７のいずれか一に記載のクラッチアクチュエータ。
【請求項９】
前記出力ロッドに回転可能に保持されるとともに前記カム面上で転動可能な回転体を備え、
前記カム面と前記回転体の当接部分は、前記出力ロッドの前記中心軸の延長線上であって前記カムの前記回転軸と前記出力ロッドの端面との間に配されている請求項１記載のクラッチアクチュエータ。
【請求項１０】
前記出力ロッドに固定された保持部材と、
前記保持部材に回転可能に保持されるとともに前記カム面上で転動可能な回転体と、
を備え、
前記カム面と前記回転体の当接部分は、前記出力ロッドの前記中心軸の延長線上であって前記カムの前記回転軸と前記出力ロッドの端面との間の部分以外に配されている請求項１記載のクラッチアクチュエータ。
【手続補正２】
【補正対象書類名】明細書
【補正対象項目名】０００５
【補正方法】変更
【補正の内容】
【０００５】
【特許文献１】特開２００４−３０１２３８号公報
【特許文献２】独国特許出願公開第１９７２３３９４号明細書（Ｆｉｇ．１７）
【手続補正３】
【補正対象書類名】明細書
【補正対象項目名】００１０
【補正方法】変更
【補正の内容】
【００１０】
本発明の一視点においては、クラッチアクチュエータにおいて、動力源と、前記動力源から出力された回転動力が伝達されることにより回転するとともに、外周面に回転軸からの距離が変化したカム面を有するカムと、所定の部材にスライド可能に支持されるとともに、前記カムの回転に伴ってストロークし、かつ、前記ストロークによってクラッチの断接を行う出力ロッドと、を備え、前記出力ロッドの中心軸の延長線上に前記カムの前記回転軸が配されており、前記出力ロッドは、前記中心軸の方向に関して異なる位置に配されるブッシュを介して前記中心軸の方向にストローク可能にハウジングに支持される。
【手続補正４】
【補正対象書類名】明細書
【補正対象項目名】００１２
【補正方法】変更
【補正の内容】
【００１２】
本発明の前記クラッチアクチュエータにおいて、前記出力ロッドに固定された保持部材と、前記保持部材に回転可能に保持されるとともに前記カム面上で転動可能な回転体と、を備え、前記カム面と前記回転体の当接部分は、前記出力ロッドの前記中心軸の延長線上であって前記カムの前記回転軸よりも前記出力ロッド側の反対側に配されていることが好ましい。
【手続補正５】
【補正対象書類名】明細書
【補正対象項目名】００１７
【補正方法】変更
【補正の内容】
【００１７】
本発明の前記クラッチアクチュエータにおいて、前記カムの前記回転軸を回転可能に保持するハウジングを備えることが好ましい。
本発明の前記クラッチアクチュエータにおいて、前記出力ロッドに回転可能に保持されるとともに前記カム面上で転動可能な回転体を備え、前記カム面と前記回転体の当接部分は、前記出力ロッドの前記中心軸の延長線上であって前記カムの前記回転軸と前記出力ロッドの端面との間に配されていることが好ましい。
本発明の前記クラッチアクチュエータにおいて、前記出力ロッドに固定された保持部材と、前記保持部材に回転可能に保持されるとともに前記カム面上で転動可能な回転体と、を備え、前記カム面と前記回転体の当接部分は、前記出力ロッドの前記中心軸の延長線上であって前記カムの前記回転軸と前記出力ロッドの端面との間の部分以外に配されていることが好ましい。
【手続補正６】
【補正対象書類名】明細書
【補正対象項目名】００２０
【補正方法】変更
【補正の内容】
【００２０】
本発明の実施形態に係るクラッチアクチュエータでは、動力源（図１の３）と、前記動力源から出力された回転動力が伝達されることにより回転するとともに、外周面に回転軸（図１の６ａに相当）からの距離が変化したカム面を有するカム（図１の７）と、所定の部材（例えば、図１のハウジング２）にスライド可能に支持されるとともに、前記カムの回転に伴ってストロークし、かつ、前記ストロークによってクラッチの断接を行う出力ロッド（図１の１０）と、を備え、前記出力ロッドの中心軸（図１の１０ａ）の延長線上に前記カムの前記回転軸が配されており、前記出力ロッドは、前記中心軸の方向に関して異なる位置に配されるブッシュを介して前記中心軸の方向にストローク可能にハウジングに支持される。
なお、本出願において図面参照符号を付している場合は、それらは、専ら理解を助けるためのものであり、図示の態様に限定することを意図するものではない。
【手続補正７】
【補正対象書類名】明細書
【補正対象項目名】００２２
【補正方法】変更
【補正の内容】
【００２２】
クラッチアクチュエータ１は、出力ロッド１０を進退移動させてクラッチ（図示せず）の断接、半接を行う電動型のアクチュエータであり、電子制御装置（図示せず）による駆動制御に応じて係合状態を変化させるようにクラッチを操作する。ここで、半接とは、クラッチの係合が開始され、かつ、クラッチが完全に係合する前の状態を指す。図１及び図２のクラッチアクチュエータ１は、出力ロッド１０が被操作対象物（例えば、機械式であればレリーズフォーク、油圧式であれば油圧ピストン）を押し込む方向（図１の右方向）に荷重をかけるような形態のクラッチに用いられる。クラッチアクチュエータ１は、主な構成部品として、ハウジング２と、電動モータ３と、ウォーム４と、ウォームホイール５と、シャフト６と、カム７と、ベアリング８、９と、出力ロッド１０と、保持部材１１と、ベアリング１２と、シャフト１３と、ブッシュ１４と、回転センサ１５と、を有する。
【手続補正８】
【補正対象書類名】明細書
【補正対象項目名】００６４
【補正方法】変更
【補正の内容】
【００６４】
本発明の全開示（請求の範囲及び図面を含む）の枠内において、さらにその基本的技術思想に基づいて、実施例ないし実施例の変更・調整が可能である。また、本発明の請求の範囲の枠内において種々の開示要素の多様な組み合わせないし選択が可能である。すなわち、本発明は、請求の範囲及び図面を含む全開示、技術的思想にしたがって当業者であればなし得るであろう各種変形、修正を含むことは勿論である。